(57)【要約】【課題】使用者の寝心地及び抱き心地を良好にすることができる抱き枕を提供する。【解決手段】一実施形態に係る抱き枕は、一方向に長く延びる抱き枕であって、柔軟性素材３１を含む形状保持部Ｐ１と、形状保持部Ｐ１を収容する第１生地Ａ１と、第１生地Ａ１を介して形状保持部Ｐ１の外側に設けられて形状保持部Ｐ１を囲む空隙保持部Ｐ２と、空隙保持部Ｐ２を収容する第２生地Ａ２と、を備える。【選択図】図４
2020054572.tif 000002
【特許請求の範囲】
【請求項１】
一方向に長く延びる抱き枕であって、
柔軟性素材を含む形状保持部と、
前記形状保持部を収容する第１生地と、
前記第１生地を介して前記形状保持部の外側に設けられて前記形状保持部を囲む空隙保持部と、
前記空隙保持部を収容する第２生地と、
を備える抱き枕。
【請求項２】
前記空隙保持部は、前記第２生地と前記第１生地との間の空間に収容される複数の中空粒状体と、前記中空粒状体が前記空間に出入りする粒状体出入口とを有し、
前記空間は、前記形状保持部から見て前記粒状体出入口の反対側において第１空間と第２空間とに仕切られている、
請求項１に記載の抱き枕。
【請求項３】
前記粒状体出入口は、前記第１空間に連通する第１粒状体出入口と、前記第２空間に連通する第２粒状体出入口とを含んでおり、
前記形状保持部は、前記第１生地に収容される前記柔軟性素材が出入りする柔軟性素材出入口を有し、
前記第１粒状体出入口、前記第２粒状体出入口及び前記柔軟性素材出入口は、互いに隣接しており、
前記第１粒状体出入口、前記第２粒状体出入口及び前記柔軟性素材出入口は、前記第２生地の外方に共に突出する、
請求項２に記載の抱き枕。
【発明の詳細な説明】
【技術分野】
【０００１】
本開示は、使用者によって抱きかかえられる抱き枕に関する。
【背景技術】
【０００２】
従来から抱き枕については種々のものが知られている。特開２００８−１８８１５７号公報には、互いに異なる触感を有する複数のクッション体が収容された抱き枕が記載されている。抱き枕の外観は細長い袋状とされている。この抱き枕は４個のクッション体を備えており、４個のクッション体は一列に並べられた状態で外袋に包まれて使用される。各クッション体は外周生地を有する内袋を備えており、内袋に互いに触感が異なる材質のクッション材が充填される。各外周生地にはファスナーが設けられており、ファスナーの開閉によってクッション材の種類及び量を調整可能となっている。
【０００３】
クッション材は、天然繊維若しくは合成繊維からなるわた（ポリエステル綿、アクリル綿、絹又はパンヤ繊維）、合成樹脂からなるパイプ状ビーズ（直径２〜１０ｍｍ、長さ５〜１５ｍｍ）、発泡樹脂からなるビーズ、合成樹脂製、ゴム製のスポンジ若しくはその粉砕物、羽毛、羊毛、穀類の殻（蕎麦殻、籾殻等）、木製若しくはコルク製の粒状体、桧チップ、ウレタン、茶葉、炭、又は小石等から適宜選択される。
【先行技術文献】
【特許文献】
【０００４】
【特許文献１】特開２００８−１８８１５７号公報
【発明の概要】
【発明が解決しようとする課題】
【０００５】
前述したように、抱き枕には種々のクッション材を収容することが可能とされている。しかしながら、抱き枕のクッション材として、わた、羽毛又は羊毛等を用いた場合には、保温力が高まって暑くなるという問題がある。すなわち、わた等をクッション材とした抱き枕では、特に夏場に用いた場合に暑くなりやすいので、使用者の寝心地を損なう可能性がある。
【０００６】
また、抱き枕のクッション材として、パイプ状ビーズ、木製若しくはコルク製の粒状体、又は桧チップ等を用いた場合、これらのクッション材は粒状とされているため、抱き枕としての形状を維持することが難しくなることが想定される。すなわち、粒状物が抱き枕の内部に充填されると、充填された粒状物の量の偏りによって抱き枕の外形が変化し、美観を損なう可能性がある。
【０００７】
更に、粒状物が抱き枕の内部に充填されると、極端な粒状物の偏りにより適度な柔軟性が得られないことがあるため抱き心地がよくないという問題も生じうる。このように、寝心地又は抱き心地が損なわれる場合、使用者は抱き枕の使用を煩わしく感じる可能性がある。従って、抱き枕の使用そのものが煩わしくなることによって使用者は抱き枕のことを快適でないと思うようになり、抱き枕が使われなくなることが多いという現状がある。
【０００８】
本開示は、前述した問題に鑑みてなされたものであり、使用者の寝心地及び抱き心地を良好にすることができる抱き枕を提供することを目的とする。
【課題を解決するための手段】
【０００９】
本開示に係る抱き枕は、一方向に長く延びる抱き枕であって、柔軟性素材を含む形状保持部と、形状保持部を収容する第１生地と、第１生地を介して形状保持部の外側に設けられて形状保持部を囲む空隙保持部と、空隙保持部を収容する第２生地と、を備える。
【００１０】
この抱き枕では、柔軟性素材を含む形状保持部と、形状保持部の外側に設けられる空隙保持部とを備え、空隙保持部は形状保持部を囲んでいる。従って、抱き枕の内側に形状保持部が設けられるので、形状保持部に柔軟性素材を適量充填することによって抱き枕の形状を確実に維持することができる。よって、抱き枕の外形が変化することを抑制することができるので美観を損なう可能性を低減させることができる。また、形状保持部は柔軟性素材を含んでいるので、形状保持部によって適度な柔軟性が得られる。従って、適度な柔軟性が得られて抱き心地を良好にすることができるので、快適な抱き心地を提供することができる。更に、形状保持部の外側に形状保持部を囲む空隙保持部が設けられるので、空隙保持部に放熱性の高い粒状物等が充填されることにより形状保持部の外側における通気性及び放熱性を高めることができる。従って、形状保持部において保温力が高まっても空隙保持部の通気性及び放熱性によって形状保持部から外部に熱を逃がして放熱を行うことができるので、暑くなる問題を抑制することができる。その結果、夏場に用いた場合であっても、使用者の寝心地を損なう可能性を低減させることができ、良好な抱き心地を維持することができる。
【００１１】
空隙保持部は、第２生地と第１生地との間の空間に収容される複数の中空粒状体と、中空粒状体が空間に出入りする粒状体出入口とを有し、空間は、形状保持部から見て粒状体出入口の反対側において第１空間と第２空間とに仕切られていてもよい。この場合、第２生地と第１生地との間の空間に複数の中空粒状体が収容されることにより、複数の中空粒状体において通気性を高めることができる。その結果、空隙保持部の通気性を高めることができるので、更なる抱き心地の向上に寄与する。また、中空粒状体が収容される空間は、粒状体出入口の反対側において第１空間と第２空間とに仕切られている。従って、中空粒状体が収容される空間が第１空間と第２空間とに仕切られていることにより、収容する中空粒状体の量の偏りを抑えることができる。従って、抱き枕の外形の変化をより確実に抑えることができると共に、高く且つ均一な通気性を発揮することができる。また、第１空間と第２空間とが仕切られている箇所が粒状体出入口の反対側に位置することにより、仕切られている箇所が粒状体出入口から遠い箇所に位置するので、中空粒状体の均一性を更に高めることができる。
【００１２】
粒状体出入口は、第１空間に連通する第１粒状体出入口と、第２空間に連通する第２粒状体出入口とを含んでおり、形状保持部は、第１生地に収容される柔軟性素材が出入りする柔軟性素材出入口を有し、第１粒状体出入口、第２粒状体出入口及び柔軟性素材出入口は、互いに隣接しており、第１粒状体出入口、第２粒状体出入口及び柔軟性素材出入口は、第２生地の外方に共に突出してもよい。この場合、第１粒状体出入口、第２粒状体出入口及び柔軟性素材出入口が互いに隣接しているので、柔軟性素材及び中空粒状体の出し入れを容易に行うことができる。また、第１粒状体出入口、第２粒状体出入口及び柔軟性素材出入口が共に外方に突出するので、柔軟性素材又は中空粒状体の出し入れのときに柔軟性素材及び中空粒状体をこぼれにくくすることができると共に充填を容易にすることができる。
【発明の効果】
【００１３】
本開示によれば、使用者の寝心地及び抱き心地を良好にすることができる。
【図面の簡単な説明】
【００１４】
【図１】図１は、実施形態に係る抱き枕を示す平面図である。
【図２】図２は、図１の抱き枕を示す側面図である。
【図３】図３は、図１の抱き枕の内袋が突出した状態の例を示す図である。
【図４】図４は、図３の内袋における抱き枕の断面を示す断面図である。
【図５】図５は、図１の抱き枕の端部の断面図である。
【図６】図６は、図１の抱き枕の内部に収容される中空粒状体の例を示す斜視図である。
【図７】図７は、実施例に係る抱き枕と比較例に係る抱き枕に対する実験結果を示すグラフである。
【発明を実施するための形態】
【００１５】
以下では、図面を参照しながら本開示に係る抱き枕の実施形態について説明する。図面の説明において、同一又は相当する要素には同一の符号を付し、重複する説明を適宜省略する。また、図面は、理解の容易のため、一部を簡略化又は誇張して描いている場合があり、寸法比率等は図面に記載のものに限定されない。
【００１６】
図１は、本実施形態に係る抱き枕１を示す平面図である。図２は、抱き枕１を図１とは異なる向きから見た側面図である。一例として、抱き枕１は、特に夏場に用いられる抱き枕であって、使用者に冷涼感を与えることを可能とする。すなわち、抱き枕１は、高い通気性及び放熱性を備えており、これにより、抱き枕１の内部にこもる熱を放出することができるので、冷涼感を提供することが可能となる。一方、抱き枕１は、その内部に後述する形状保持部を備えるため、形が崩れにくくなっており、充填材（例えば後述する柔軟性素材３１）を適量充填することによりハリを出すことも可能であるため、使用者の抱き心地を向上させることが可能である。
【００１７】
抱き枕１は、例えば、敷き寝具の上で横たわる使用者に抱きかかえられる抱き枕であって、全体として第１方向Ｄ１に直線状に延びている。すなわち、抱き枕１は、第１方向Ｄ１（一方向）に長く延びている。第１方向Ｄ１は、例えば、敷き寝具の上で横たわる使用者の身体が延びる方向、又は敷き寝具の長手方向である。抱き枕１の第１方向Ｄ１の長さは、例えば、５０ｃｍ以上且つ１５０ｃｍ以下であって、７０ｃｍ以上且つ１２０ｃｍ以下であってもよく適宜変更可能である。また、抱き枕１は、第２方向Ｄ２にも一定長さ延びており、第２方向Ｄ２は抱き枕１の幅方向に相当する。抱き枕１の第２方向Ｄ２の長さ（幅）は、例えば、２０ｃｍ以上且つ９０ｃｍ以下であって、５０ｃｍ以上且つ７０ｃｍ以下であってもよく適宜変更可能である。
【００１８】
抱き枕１は、抱き枕１の表面を構成するメッシュ生地１１と、抱き枕１の裏面を構成するメッシュ生地１２とを有する。メッシュ生地１１及びメッシュ生地１２は、例えば、縫い込みによって互いに接合されている。メッシュ生地１１及びメッシュ生地１２は抱き枕１の外面を構成しており、メッシュ生地１１及びメッシュ生地１２の境目は抱き枕１の厚さ方向（例えば第１方向Ｄ１及び第２方向Ｄ２の双方に直交する方向）の中央に位置している。
【００１９】
メッシュ生地１１及びメッシュ生地１２が抱き枕１の外面に位置することにより、抱き枕１の外面の通気性及び放熱性を高めることができるので、抱き枕１に身体が長時間密着しても暑さを感じさせにくくすることができる。抱き枕１は、第１方向Ｄ１に延びる中央部５と、中央部５の第１方向Ｄ１の一端において拡張する第１拡張部２と、中央部５の第１方向Ｄ１の他端において拡張する第２拡張部３とを備える。
【００２０】
一例として、第１拡張部２は、敷き寝具の枕側、又は使用者の頭部、首部及び上半身側に配置される部位であって、使用者の腕が接触する腕接触部であってもよい。一方、第２拡張部３は、使用者の脚部及び下半身側に配置される部位であって、使用者の脚が接触する脚接触部であってもよい。第１拡張部２と中央部５との間には、第２方向Ｄ２に窪むと共に、第２方向Ｄ２に沿って設けられる一対のくびれ部が形成されている。
【００２１】
上記のくびれ部は、例えば、使用者の腕が掛けられる部位とすることが可能であるため、この場合、使用者の抱き枕１の抱き心地を更に良好にすることができる。第１拡張部２と第２拡張部３は、互いに同一の形状及び同一の大きさであってもよいし、互いに異なる形状又は異なる大きさであってもよい。また、抱き枕１は、抱き枕１の中心を通り第２方向Ｄ２に延びる中心軸線に対して対称な形状とされていてもよい。この場合、抱き枕１の第１方向Ｄ１への向きを逆にしても抱き枕１を同じように使用することが可能である。
【００２２】
第１拡張部２は、第１方向Ｄ１の一端に位置する第１端部２ａと、第１端部２ａから第２方向Ｄ２の一方側及び中央部５側に湾曲して延びる第１湾曲部２ｂと、第１端部２ａから第２方向Ｄ２の他方側及び中央部５側に湾曲して延びる第２湾曲部２ｃとを備える。第１端部２ａは、抱き枕１の第１方向Ｄ１の一端に位置しており、例えば、第２方向Ｄ２に直線状に延びている。
【００２３】
第１湾曲部２ｂは、第１端部２ａの第２方向Ｄ２の一端から抱き枕１の第２方向Ｄ２の外側に延びだすように湾曲しており、例えば、円弧状又は放物線状に湾曲している。第２湾曲部２ｃは、第１端部２ａの第２方向Ｄ２の他端から抱き枕１の第２方向Ｄ２の外側に延びだすように湾曲しており、例えば、第１湾曲部２ｂと同様に湾曲していてもよい。また、第１湾曲部２ｂ及び第２湾曲部２ｃは、第１端部２ａの第２方向Ｄ２の中央部に対して互いに対称とされていてもよい。
【００２４】
第２拡張部３は、第１方向Ｄ１の他端に位置する第２端部３ａと、第２端部３ａから第２方向Ｄ２の一方側及び中央部５側に湾曲して延びる第３湾曲部３ｂと、第２端部３ａから第２方向Ｄ２の他方側及び中央部５側に湾曲して延びる第４湾曲部３ｃとを備える。第２端部３ａ、第３湾曲部３ｂ及び第４湾曲部３ｃの形状及び大きさは、第１端部２ａ、第１湾曲部２ｂ及び第２湾曲部２ｃの形状及び大きさと同一であってもよいし、異なっていてもよい。
【００２５】
中央部５は、例えば、敷き寝具に横たわった使用者の身体の胸又は腹部が対向又は接触する部位である。中央部５は第１拡張部２と第２拡張部３の間に位置しており、第１方向Ｄ１に長く延びている。中央部５は、第１湾曲部２ｂ及び第３湾曲部３ｂを互いに連結する第１辺部５ａと、第２湾曲部２ｃ及び第４湾曲部３ｃを互いに連結する第２辺部５ｂとを有する。
【００２６】
第１辺部５ａ及び第２辺部５ｂは、例えば、前述したメッシュ生地１１及びメッシュ生地１２の境目部分であってもよい。例えば、中央部５の第１辺部５ａには、抱き枕１の内部を開放するファスナー６が設けられている。一例として、ファスナー６は、第１辺部５ａの中央を含む領域に設けられており、メッシュ生地１１とメッシュ生地１２との境目部分に形成されている。
【００２７】
図２及び図３に示されるように、メッシュ生地１１及びメッシュ生地１２の内部には、抱き枕１の内袋を構成する第１布部１３、第２布部１４、第３布部１５及び第４布部１６が設けられ、第１布部１３、第２布部１４、第３布部１５及び第４布部１６は、抱き枕１のファスナー６の内側に収容される。第１布部１３及び第２布部１４は後述する中空粒状体３２（図４参照）を収容する第２生地Ａ２を構成し、第３布部１５及び第４布部１６は後述する柔軟性素材３１を収容する第１生地Ａ１を構成する。
【００２８】
ファスナー６が設けられる部分のメッシュ生地１１，１２は、ファスナー６の内側に収容された第１布部１３、第２布部１４、第３布部１５及び第４布部１６が盛り上がらないように、他の部分より短くされていてもよい。これにより、メッシュ生地１１，１２の短い部分の強い伸縮性（弾性）によって第１布部１３、第２布部１４、第３布部１５及び第４布部１６が抱き枕１の内側に押し込まれるので、第１布部１３、第２布部１４、第３布部１５及び第４布部１６によってファスナー６の付近を盛り上がらないようにすることができる。
【００２９】
図４は、第１布部１３、第２布部１４、第３布部１５及び第４布部１６を含む抱き枕１の領域を第２方向Ｄ２に沿って切断した断面図である。なお、説明の簡略化のため、図４では、メッシュ生地１１及びメッシュ生地１２の図示を省略している。図３及び図４に示されるように、抱き枕１は、柔軟性素材３１を含む形状保持部Ｐ１と、第３布部１５及び第４布部１６を介して形状保持部Ｐ１の外側に設けられて形状保持部Ｐ１を囲む空隙保持部Ｐ２とを備える。空隙保持部Ｐ２は、第１布部１３及び第２布部１４に収容されている。
【００３０】
形状保持部Ｐ１は、抱き枕１の形状を保持する部位であって、抱き枕１の形が崩れることを抑制する部位である。例えば、形状保持部Ｐ１には柔軟性素材３１が充填されており、充填された柔軟性素材３１によって形状保持部Ｐ１が抱き枕１の形状を保持する。柔軟性素材３１は、高い柔軟性及び弾性を有する材料によって構成されており、例えば、綿（わた）、ウレタン又は羽毛であってもよい。
【００３１】
空隙保持部Ｐ２は、抱き枕１の外部と形状保持部Ｐ１との間において空隙を形成する部位であって、形状保持部Ｐ１を囲むように設けられる。空隙保持部Ｐ２は、抱き枕１の外部と形状保持部Ｐ１との間の空気流通を行う部位であって、抱き枕１の内部に熱が籠もることを抑制する部位である。例えば、空隙保持部Ｐ２には中空粒状体３２が充填されており、中空粒状体３２が充填されることによって空隙保持部Ｐ２が形状保持部Ｐ１の外側に多数の空隙を保持する。中空粒状体３２は、例えば、中空とされたビーズ又はパイプ材である。中空粒状体３２の詳細については後述する。
【００３２】
第１布部１３、第２布部１４、第３布部１５及び第４布部１６は、ファスナー６が開けられた状態で抱き枕１の外方に突出させることが可能な抱き枕１の内袋を構成する。第１布部１３、第２布部１４、第３布部１５及び第４布部１６は、ファスナー６が閉まっている状態では抱き枕１（メッシュ生地１１及びメッシュ生地１２）の内部に丸められた状態で収容されている。第１布部１３、第２布部１４、第３布部１５及び第４布部１６は、ファスナー６が開放された状態で抱き枕１の内部から引っ張り出されることにより抱き枕１から突出した状態となり、この状態で柔軟性素材３１及び中空粒状体３２を出し入れすることによって柔軟性素材３１及び中空粒状体３２の量を調整可能である。
【００３３】
第３布部１５及び第４布部１６は、柔軟性素材３１の出入口である柔軟性素材出入口２１を形成する。第１布部１３及び第３布部１５は中空粒状体３２の出入口である第１粒状体出入口２２を形成し、第２布部１４及び第４布部１６は中空粒状体３２の出入口である第２粒状体出入口２３を形成する。第１布部１３、第２布部１４、第３布部１５及び第４布部１６のファスナー６との反対側の端部は糸１７の縫い込みによって互いに接合されている。これにより、柔軟性素材出入口２１に連通すると共に柔軟性素材３１を収容するための空間２４、第１粒状体出入口２２に連通する第１空間２５、及び第２粒状体出入口２３に連通する第２空間２６が画成される。
【００３４】
以上のように、抱き枕１のファスナー６の内側には、柔軟性素材３１が収容される空間２４、中空粒状体３２が収容される第１空間２５、及び第１空間２５と仕切られた空間であって中空粒状体３２が収容される第２空間２６が形成されている。すなわち、抱き枕１の内部空間は３部屋に分かれており、３部屋のうち１部屋に柔軟性素材３１が充填され、残り２部屋のそれぞれに中空粒状体３２が充填される。抱き枕１のファスナー６の外側には、柔軟性素材出入口２１、第１粒状体出入口２２及び第２粒状体出入口２３が設けられ、３つの出入口が互いに隣接して設けられる。これにより、抱き枕１の内部空間に対する柔軟性素材３１及び中空粒状体３２の充填を容易に行うことができる。
【００３５】
図２及び図５に示されるように、抱き枕１は、第１方向Ｄ１の一端及び他端の少なくともいずれかに中空粒状体３２を有しない部位を備えていてもよい。一例として、第１拡張部２の第１端部２ａ、及び第２拡張部３の第２端部３ａの少なくともいずれかに一対の縫い目１８，１９が設けられており、一対の縫い目１８，１９を互いに接続する布部２０の内側に柔軟性素材３１が充填されていてもよい。例えば、布部２０は、第１布部１３及び第３布部１５の接合部から第２布部１４及び第４布部１６の接合部に向かって延びている。この場合、抱き枕１の全体としては冷涼感を発揮するものの、局所的（例えば布部２０の部分）において保温性能を高めることができる。
【００３６】
図６は、中空粒状体３２の例を示す斜視図である。図６に示されるように、中空粒状体３２は、例えば、筒状とされており、中空粒状体３２の軸線方向の両端のそれぞれに開口３２ａが形成されている。中空粒状体３２は、例えば、ビニル素材等の軟質樹脂によって構成されており、中空粒状体３２の材料はポリエチレン（ＰＥ）であってもよい。中空粒状体３２は、中空粒状体３２の軸線方向に直交する面で切断したときの断面が長円環状とされる筒状の中央部３２ｂと、中央部３２ｂの軸線方向の両端のそれぞれに設けられ中央部３２ｂから開口３２ａに向かって徐々に縮径する縮径部３２ｃとを有する。
【００３７】
中空粒状体３２の中央部３２ｂの長軸の長さは、例えば、１ｃｍ以上且つ４ｃｍ以下であり、２ｃｍ以上且つ３．５ｃｍ以下であってもよい。また、中空粒状体３２の軸線方向の長さは、例えば、１ｃｍ以上且つ４ｃｍ以下であり、２ｃｍ以上且つ３．５ｃｍ以下である。中空粒状体３２の大きさは、一般的なビーズ又はパイプ材より大きくてもよい。中空粒状体３２の厚さ（肉厚）は、例えば、０．１ｍｍ以上且つ１．０ｍｍ以下であってもよいし、０．３ｍｍ以上且つ０．８ｍｍ以下であってもよい。
【００３８】
このように、中空粒状体３２は、比較的大型で且つ肉薄であり、更に高い弾性を有する。従って、中空粒状体３２の内部に空気が通りやすいと共に、外力で中空粒状体３２が弾性変形して弾性復帰されるときに中空粒状体３２の内部の空気が入れ替わるので、高い空気流通性を発揮する。抱き枕１では、表面の直ぐ裏側に中空粒状体３２が満遍なく（均一に）充填されているので、抱き枕１の表面の通気性を高めることができ、抱き枕１に高い冷涼感を発揮させることができる。
【００３９】
次に、本実施形態に係る抱き枕１から得られる作用効果について詳細に説明する。例えば図４に示されるように、抱き枕１では、柔軟性素材３１を含む形状保持部Ｐ１と、形状保持部Ｐ１の外側に設けられる空隙保持部Ｐ２とを備え、空隙保持部Ｐ２は形状保持部Ｐ１を囲んでいる。従って、抱き枕１の内側に形状保持部Ｐ１が設けられるので、形状保持部Ｐ１に柔軟性素材３１を適量充填することによって抱き枕１の形状を確実に維持することができる。よって、抱き枕１の外形が変化することを抑制することができるので美観を損なう可能性を低減させることができる。また、形状保持部Ｐ１は柔軟性素材３１を含んでいるので、形状保持部Ｐ１によって適度な柔軟性が得られる。従って、適度な柔軟性が得られて抱き心地を良好にすることができるので、快適な抱き心地を提供することができる。
【００４０】
更に、形状保持部Ｐ１の外側に形状保持部Ｐ１を囲む空隙保持部Ｐ２が設けられるので、空隙保持部Ｐ２に放熱性の高い粒状物（例えば中空粒状体３２）等が充填されることにより形状保持部Ｐ１の外側における通気性及び放熱性を高めることができる。従って、形状保持部Ｐ１において保温力が高まっても空隙保持部Ｐ２の通気性及び放熱性によって形状保持部Ｐ１から外部に熱を逃がして放熱を行うことができるので、暑くなる問題を抑制することができる。その結果、夏場に用いた場合であっても、使用者の寝心地を損なう可能性を低減させることができ、良好な抱き心地を維持することができる。
【００４１】
空隙保持部Ｐ２は、第２生地Ａ２と第１生地Ａ１との間の空間に収容される複数の中空粒状体３２と、中空粒状体３２が当該空間に出入りする第１粒状体出入口２２及び第２粒状体出入口２３とを有し、当該空間は、形状保持部Ｐ１から見て粒状体出入口２２，２３の反対側において第１空間２５と第２空間２６とに仕切られていてもよい。この場合、第２生地Ａ２と第１生地Ａ１との間の空間に複数の中空粒状体３２が充填されることにより、複数の中空粒状体３２において通気性を高めることができる。
【００４２】
その結果、空隙保持部Ｐ２の通気性を高めることができるので、更なる抱き心地の向上に寄与する。また、中空粒状体３２が収容される空間は、第１粒状体出入口２２及び第２粒状体出入口２３の反対側において第１空間２５と第２空間２６とに仕切られている。従って、中空粒状体３２が収容される空間が第１空間２５と第２空間２６とに仕切られていることにより、収容する中空粒状体３２の量の偏りを抑えることができる。
【００４３】
従って、抱き枕１の外形の変化をより確実に抑えることができると共に、高く且つ均一な通気性を発揮することができる。また、第１空間２５と第２空間２６とが仕切られている箇所（糸１７の箇所）が第１粒状体出入口２２及び第２粒状体出入口２３の反対側に位置することにより、仕切られている箇所が第１粒状体出入口２２及び第２粒状体出入口２３から遠い箇所に位置するので、中空粒状体３２の均一性を更に高めることができる。
【００４４】
抱き枕１は、中空粒状体３２が出入りする２つの粒状体出入口（第１粒状体出入口２２及び第２粒状体出入口２３）を備え、形状保持部Ｐ１は、第１生地Ａ１に収容される柔軟性素材３１が出入りする柔軟性素材出入口２１を有し、第１粒状体出入口２２、第２粒状体出入口２３及び柔軟性素材出入口２１は、互いに隣接しており、第１粒状体出入口２２、第２粒状体出入口２３及び柔軟性素材出入口２１は、第２生地Ａ２の外方に突出してもよい。
【００４５】
この場合、第１粒状体出入口２２、第２粒状体出入口２３及び柔軟性素材出入口２１が互いに隣接しているので、柔軟性素材３１及び中空粒状体３２の出し入れを１箇所で容易に行うことができる。また、第１粒状体出入口２２、第２粒状体出入口２３及び柔軟性素材出入口２１が共に外方に突出するので、柔軟性素材３１又は中空粒状体３２の出し入れのときに柔軟性素材３１及び中空粒状体３２をこぼれにくくすることができると共に充填を容易にすることができる。
【００４６】
以上、本開示に係る抱き枕の実施形態について説明したが、本発明は、前述した各実施形態に限られるものではなく、各請求項に記載した要旨を変更しない範囲において変形したものであってもよい。すなわち、抱き枕の各部の形状、大きさ、数、材料及び配置態様は、上記の要旨を逸脱しない範囲において適宜変更可能である。例えば、前述の実施形態では、第１拡張部２、第２拡張部３及び中央部５を備える抱き枕１について説明した。しかしながら、抱き枕は、第１拡張部２及び第２拡張部３の少なくともいずれかが省略された抱き枕であってもよく、抱き枕の形状は、前述の要旨を逸脱しない範囲において適宜変更可能である。
【００４７】
前述した実施形態では、中央部５の第１辺部５ａに抱き枕１の内部を開放するファスナー６が設けられる例について説明した。しかしながら、ファスナーの位置、形状、大きさ及び数は適宜変更可能である。更に、第１布部１３、第２布部１４、第３布部１５及び第４布部１６を含む抱き枕１の内袋を抱き枕１の内部に丸めて入れた状態として、当該内袋が収容された部分が縫い込まれてもよい。この場合、ファスナー６を不要とすることができる。
【００４８】
前述した実施形態では、抱き枕１の表面がメッシュ生地１１及びメッシュ生地１２によって構成される例について説明したが、抱き枕１を構成する生地の種類は適宜変更可能である。また、前述の実施形態では、抱き枕１の内袋が第１布部１３、第２布部１４、第３布部１５及び第４布部１６を含む例について説明した。しかしながら、例えば第１生地Ａ１及び第２生地Ａ２が共に１枚の布部によって構成されていてもよく、抱き枕１の内袋が構成する布の枚数は適宜変更可能である。
【００４９】
前述した実施形態では、縫い目１８，１９及び布部２０を有する抱き枕１について説明したが、抱き枕及び布部の縫い目の形状、大きさ、材料、数及び配置態様は適宜変更可能である。また、前述の実施形態では、内側に形状保持部Ｐ１を備え、形状保持部Ｐ１の外側に２つの空隙保持部Ｐ２を備え、内部空間が３部屋に分かれた抱き枕１について説明した。しかしながら、抱き枕の内部空間の部屋、及び内容物を出し入れする出入口、の形状、大きさ、数、材料及び配置態様は適宜変更可能である。前述した実施形態では、開口３２ａ、中央部３２ｂ及び縮径部３２ｃを有する中空粒状体３２について説明した。しかしながら、中空粒状体の形状、大きさ及び材料についても適宜変更可能である。
【００５０】
（実施例）
以下では、本開示に係る抱き枕の実施例について説明する。なお、本発明は、下記の実施例に限定されるものではない。実施例では、ヒータを用いて抱き枕を加温し、そのときの温度変化を測定する実験を行った。
【００５１】
実施例に係る抱き枕は、前述した図４等に示される抱き枕１と同様の抱き枕であって、詰め物がポリエステル綿である柔軟性素材３１と、柔軟性素材３１を囲む外側の詰め物である中空粒状体３２とを備えた抱き枕とした。
【００５２】
比較例に係る抱き枕は、中空粒状体及び空隙保持部を有しておらず、詰め物として柔軟性素材のみを備えた抱き枕であって、柔軟性素材としてポリエステル綿を用いた。
【００５３】
以上の実施例に係る抱き枕、及び比較例に係る抱き枕のそれぞれに対し、初期温度を２５℃としてからヒータを載置し、各抱き枕の温度変化を測定した結果、図７に示される結果となった。図７のグラフに示されるように、比較例に係る抱き枕では、ヒータを載置してヒータをＯＮにした直後から急激に温度が上昇し、その後１０分程度経過後に３５℃以上となった。一方、実施例に係る抱き枕では、ヒータを載置してヒータをＯＮにした直後から温度が上昇したものの、比較例よりも緩やかに上昇し、１０分経過しても３３℃程度、２０分経過しても３４°未満、にしかならなかった。以上より、実施例に係る抱き枕は、比較例に係る抱き枕よりも温度上昇を抑えることができ、低温状態を維持できることが分かった。
【符号の説明】
【００５４】
１…抱き枕、２…第１拡張部、２ａ…第１端部、２ｂ…第１湾曲部、２ｃ…第２湾曲部、３…第２拡張部、３ａ…第２端部、３ｂ…第３湾曲部、３ｃ…第４湾曲部、５…中央部、５ａ…第１辺部、５ｂ…第２辺部、６…ファスナー、１１，１２…メッシュ生地、１３…第１布部、１４…第２布部、１５…第３布部、１６…第４布部、１７…糸、１８，１９…縫い目、２０…布部、２１…柔軟性素材出入口、２２…第１粒状体出入口、２３…第２粒状体出入口、２４…空間、２５…第１空間、２６…第２空間、３１…柔軟性素材、３２…中空粒状体、３２ａ…開口、３２ｂ…中央部、３２ｃ…縮径部、Ａ１…第１生地、Ａ２…第２生地、Ｄ１…第１方向、Ｄ２…第２方向、Ｐ１…形状保持部、Ｐ２…空隙保持部。
【図１】
2020054572.tif 000003
【図２】
2020054572.tif 000004
【図３】
2020054572.tif 000005
【図４】
2020054572.tif 000006
【図５】
2020054572.tif 000007
【図６】
2020054572.tif 000008
【図７】
2020054572.tif 000009